(57)【特許請求の範囲】
【請求項１】
取付板前面上部の左右両側に囲枠を設けて取付板の前面上部中央に打球が流入する受入領域を形成し、
前記受入領域の下方には該受入領域から流入した打球を左右方向に導くガイド部材を突設し、
前記ガイド部材の下方には入賞孔を穿設すると共に、該入賞孔の下縁から取付板の前面に突出する球受枠を設けて該球受枠と前記ガイド部材との間に入賞空間を形成し、
前記入賞空間の両側に位置する開口部分にはソレノイドによって回動し、その前面に打球誘導部を突出した回転体を設け、
さらに、前記回転体の裏側に係合ピンを突設すると共に、前記取付板に該係合ピンが挿入されるガイド溝を開設し、前記係合ピンの移動が前記ガイド溝内でのみ許容されるようにし、
前記回転体が、前記ガイド部材から落下する打球を前記打球誘導部で受けて前記入賞空間へ導く第１回転位置と、前記ガイド部材から落下する打球を前記入賞空間の外方へ導く第２回転位置とに規制されるようにしたことを特徴とするパチンコ機の入賞装置。
【発明の詳細な説明】
【０００１】
【発明の属する技術分野】
本発明は、パチンコ機の入賞装置に関し、特に回転体の回転位置によって打球を入賞可能としたり入賞し得ないようにしたパチンコ機の入賞装置に関するものである。
【０００２】
【従来の技術】
従来、パチンコ機の入賞装置としては、例えば取付基板に横長の開口を開設し、該開口にソレノイドの駆動によって前後方向へ開閉する開閉扉を設け、該開閉扉を前面側へ開いて打球を受け入れ可能とし、閉じることによって打球の受け入れを不可能にするようにしたもの、或いは取付基板の前面に左右一対の開閉翼片を対設し、その開閉翼片を外側方向へ開閉させることにより打球を受け入れない状態と打球を受け入れ易い状態とに変換するようにしたもの等が知られている。
【０００３】
【発明が解決しようとする課題】
従来のパチンコ機の入賞装置にあっては、その入賞態様がほとんど同じで規格化されており、かつ変化に乏しく面白さに欠けるため、遊技者に飽きられつつあるという問題点があった。
【０００４】
本発明は、上記した問題点に鑑みてなされたもので、その目的とするところは、回転体の回転位置によって打球を入賞可能としたり入賞し得ないようにして遊技者の興味を引くことができ、しかも変化に富んだ盤面構成が可能な新規なパチンコ機の入賞装置を提供しようとするものである。
【０００５】
【課題を解決するための手段】
上記目的を達成するために、本発明のパチンコ機の入賞装置は、取付板前面上部の左右両側に囲枠を設けて取付板の前面上部中央に打球が流入する受入領域を形成し、前記受入領域の下方には該受入領域から流入した打球を左右方向に導くガイド部材を突設し、前記ガイド部材の下方には入賞孔を穿設すると共に、該入賞孔の下縁から取付板の前面に突出する球受枠を設けて該球受枠と前記ガイド部材との間に入賞空間を形成し、前記入賞空間の両側に位置する開口部分にはソレノイドによって回動し、その前面に打球誘導部を突出した回転体を設け、さらに、前記回転体の裏側に係合ピンを突設すると共に、前記取付板に該係合ピンが挿入されるガイド溝を開設し、前記係合ピンの移動が前記ガイド溝内でのみ許容されるようにし、前記回転体が、前記ガイド部材から落下する打球を前記打球誘導部で受けて前記入賞空間へ導く第１回転位置と、前記ガイド部材から落下する打球を前記入賞空間の外方へ導く第２回転位置とに規制されるようにしたことを特徴としている。
【０００６】
このように構成されたパチンコ機の入賞装置は、電気的駆動源の作動により回転体が第１回転位置に回転されているとき、ガイド部材から回転体の打球誘導部に落下する打球はすべて球受枠へ導かれて入賞球として処理される。一方、回転体が第２回転位置に回転されていると、ガイド部材から回転体の打球誘導部に落下する打球は球受枠に導かれることなくそのまま外方へ落下処理されるもので、簡単な構造で斬新かつ変化に富んだパチンコ機の入賞装置を得ることが可能となる。
【０００７】
【発明の実施の形態】
以下、図面を参照して本発明の一実施の形態について説明する。図１は本発明に係る入賞装置を前面から見た斜視図、図２は同じく裏面から見た斜視図、図３は正面図、図４は側面図である。図において、１は遊技盤の表面に取付ける取付板であって、該取付板１の前面上部の左右両側にほぼくの字形に屈曲する囲枠２，２が突設されており、該両囲枠２，２によって中央上部に打球の受入領域３が形成されている。また、前記受入領域３の下方に、中央から両側に向けて下り傾斜する山形状のガイド部材４が突設されており、さらにその下方の取付板１に入賞孔５が穿設されている。６は入賞孔５の下縁から取付板１の前面に突出する円弧状の球受枠であって、前記入賞孔５の両側であり該球受枠６とガイド部材４との間に入賞空間７，７が形成されている。
【０００８】
前記入賞空間７，７に位置した取付板１の前面には、円板状の回転体８、８が回転自在に設けられている。該回転体８、８は、前面に棚状の打球誘導部９、９が直径方向に沿って突出形成されており、その裏面中心に突設された支軸１０が取付板１に設けた軸筒部１１に挿通されている。また、回転体８、８の裏面には、係合ピン１２，１２が突設されており、該係合ピン１２，１２が取付板１に開設された半円状のガイド溝１３，１３に挿入されている。これによって、両回転体８，８がガイド溝１３，１３の範囲内で正逆方向に回転可能なように設けられている。
【０００９】
１４は取付板１の裏側であり、かつ前記入賞孔５を覆うように設けられた箱枠で、該箱枠１４の内部に入賞孔５と連なる誘導樋１５と球流出口１６が設けられている。１７は箱枠１４の上面に固着された電気的駆動源としてのソレノイド、１８，１８は箱枠１４の両側外方に設けられた可動部材であり、箱枠１４内を貫通する横軸１９により揺動自在に軸支されている。この可動部材１８，１８のそれぞれ先端部分には係合凹部２０，２０が設けられており、該係合凹部２０，２０と回転体８、８の係合ピン１２，１２とが連動可能に係合されている。また、可動部材１８，１８のそれぞれ後端部分には連係ピン２１，２１が設けられており、該連係ピン２１，２１が前記ソレノイド１７のプランジャ２２後端に形成された円状板２３の前面に接触状に位置されている。そして、可動部材１８，１８の横軸１９より下方位置であり、かつ後方に向けて突設された掛止片２４、２４に引っ張りバネ２５が掛止され、これにより前記可動部材１８，１８が横軸１９を支点にして常に後方へ回動付勢されている。尚、２６，２６は箱枠１４の両側に配置される照明用のランプである。
【００１０】
本発明のパチンコ機の入賞装置は上記構成よりなり、次に作用を説明する。図３及び図４はソレノイド１７が消磁した状態を示し、引っ張りバネ２５により両可動部材１８，１８が後方（時計回り方向）へ回動付勢され、両回転体８，８が互いに外回り方向に回転して各打球誘導部９、９がハの字状に傾動した第２回転位置に停止保持されている。このため、図６鎖線に示すように受入領域３から流入する打球Ｂ１はガイド部材４により左右いずれかに振り分けられて両回転体８，８の打球誘導部９，９に落下し、そのまま外方へ導かれる。すなわち、ソレノイド１７が消磁した状態のとき両回転体８，８の各打球誘導部９、９により入賞空間７，７が塞がれた状態になっているため、球受枠６に打球が導かれることがなく入賞球を生じさせることがない。
【００１１】
一方、この状態でソレノイド１７が励磁されると、図７実線に示すようにプランジャ２２が前方へ吸引され可動部材１８，１８の連係ピン２１，２１がプランジャ２２後端の円状板２３で押されて該可動部材１８，１８を引っ張りバネ２５のバネ力に抗して前方（反時計回り方向）に回動する。このため、可動部材１８，１８の係合凹部２０，２０によって係合ピン１２，１２が押し下げられることになり、両回転体８，８が互いに内回り方向に回転して各打球誘導部９、９が図６実線で示す逆ハの字状に傾動した第１回転位置に停止保持されて入賞空間７，７を開放する。このため、図６実線で示すように受入領域３から流入する打球Ｂ２はガイド部材４により左右いずれかに振り分けられて両回転体８，８の打球誘導部９，９に落下し、すべて球受枠６から入賞孔５内へ導かれるもので多くの入賞球を生じさせることができる。
【００１２】
【発明の効果】
以上のように、本発明に係る入賞装置によれば、回転体の回転位置によって打球を全く入賞させない状態と多くの入賞球を入賞させることができる状態とに変換するようにしたので、例えば、開閉扉を前後方向に開閉させる従来の入賞装置に較べてその入賞態様が非常に斬新で変化に富んだものとなり、遊技者の興味を引いてパチンコ遊技の面白さを高めることができる。
【図面の簡単な説明】
【図１】入賞装置を前面から見た斜視図である。
【図２】入賞装置を裏面から見た斜視図である。
【図３】入賞装置の正面図である。
【図４】入賞装置の側面図である。
【図５】入賞装置の中央縦断側面図である。
【図６】作用を示す入賞装置の正面図である。
【図７】作用を示す入賞装置の側面図である。
【符号の説明】
１                取付板
４                ガイド部材
６                球受枠
８                回転体
９                打球誘導部
１７              ソレノイド（電気的駆動源）
Ｂ１，Ｂ２          打球
【図１】
0003563312.tif 000002
【図２】
0003563312.tif 000003
【図３】
0003563312.tif 000004
【図４】
0003563312.tif 000005
【図５】
0003563312.tif 000006
【図６】
0003563312.tif 000007
【図７】
0003563312.tif 000008